(57)【要約】【解決手段】本発明は、ソーラーパネル部材Ｓ１と、該ソーラーパネル部材が取り付けられる架台Ｓ２とからなるソーラーパネル装置Ｓにおいて、ソーラーパネル部材を、底部３、相対する低くい側壁４と高い側壁５及び相対する傾斜側壁６とからなる箱型架台に取り付けるようにしたものである。【効果】ソーラーパネル部材と、該ソーラーパネル部材が取り付けられる架台とからなるソーラーパネル装置において、ソーラーパネル部材を、底部、相対する低くい側壁と高い側壁及び相対する傾斜側壁とからなる箱型架台に取り付けるようにしたので、ソーラーパネル装置の設置を、短時間に、且つ、容易に行なうことができる。【選択図】図７
2013221287.tif 000002
【特許請求の範囲】
【請求項１】
ソーラーパネル部材と、該ソーラーパネル部材が取り付けられる架台とからなるソーラーパネル装置において、ソーラーパネル部材を、底部、相対する低くい側壁と高い側壁及び相対する傾斜側壁とからなる箱型架台に取り付けるように構成したことを特徴とするソーラーパネル装置。
【請求項２】
箱型架台の低くい側壁に形成された嵌入凹部に、ソーラーパネル部材の取り付けフレームの一方の端部を嵌入し、また、高い側壁に形成されている嵌合溝部に、ソーラーパネル部材の取り付けフレームのもう一方の端部を嵌合することにより、箱型架台に、ソーラーパネル部材を取り付けるように構成したことを特徴とする請求項１に記載のソーラーパネル装置。
【発明の詳細な説明】
【技術分野】
【０００１】
本発明は、ソーラーパネル部材と、該ソーラーパネル部材が取り付けられる架台とからなるソーラーパネル装置に関するものである。
【背景技術】
【０００２】
従来、ソーラーパネル部材が取り付けられる架台は、高さの異なるブロックや高さの異なるブロックを連結するフレーム材等から構成されており、架台の設置後に、ソーラーパネル部材を、架台に取り付けるようにしたソーラーパネル装置が、一例として、特許文献１に開示されている。
【先行技術文献】
【特許文献】
【０００３】
【特許文献１】特開平１１ー１７７１１４号公報
【発明の概要】
【発明が解決しようとする課題】
【０００４】
上述した特許文献１に開示されているソーラーパネル装置においては、高さの異なるブロックや高さの異なるブロックを連結するフレーム材等からなる架台を組み立てた後に、ソーラーパネル部材を設置しなければならず、架台の組み立てに、時間や労力や費用が係るという問題があった。
【０００５】
また、架台へのソーラーパネル部材の取り付けには、多くの取り付け部材が必要となり、架台へのソーラーパネル部材の取り付けに、多大の時間や労力や費用が係るという問題があった。
【０００６】
本発明の目的は、上述した従来のソーラーパネル装置が有する課題を解決することにある。
【課題を解決するための手段】
【０００７】
本発明は、上述した目的を達成するために、ソーラーパネル部材と、該ソーラーパネル部材が取り付けられる架台とからなるソーラーパネル装置において、第１には、ソーラーパネル部材を、底部、相対する低くい側壁と高い側壁及び相対する傾斜側壁とからなる箱型架台に取り付けるようにしたものであり、第２には、箱型架台の低くい側壁に形成された嵌入凹部に、ソーラーパネル部材の取り付けフレームの一方の端部を嵌入し、また、高い側壁に形成されている嵌合溝部に、ソーラーパネル部材の取り付けフレームのもう一方の端部を嵌合することにより、箱型架台に、ソーラーパネル部材を取り付けるようにしたものである。
【発明の効果】
【０００８】
本発明は、ソーラーパネル部材と、該ソーラーパネル部材が取り付けられる架台とからなるソーラーパネル装置において、ソーラーパネル部材を、底部、相対する低くい側壁と高い側壁及び相対する傾斜側壁とからなる箱型架台に取り付けるようにしたので、ソーラーパネル装置の設置を、短時間に、且つ、容易に行なうことができる。
【０００９】
また、ソーラーパネル部材と、該ソーラーパネル部材が取り付けられる架台とからなるソーラーパネル装置において、箱型架台の低くい側壁に形成された嵌入凹部に、ソーラーパネル部材の取り付けフレームの一方の端部を嵌入し、また、高い側壁に形成されている嵌合溝部に、ソーラーパネル部材の取り付けフレームのもう一方の端部を嵌合することにより、箱型架台に、ソーラーパネル部材を取り付けるようにしたので、箱型架台へのソーラーパネル部材の取り付けを、短時間に、且つ、容易に行なうことができる。
【図面の簡単な説明】
【００１０】
【図１】図１は、本発明のソーラーパネル装置の斜視図である。
【図２】図２は、本発明のソーラーパネル装置を構成する箱型架台の斜視図である。
【図３】図３は、本発明のソーラーパネル装置を構成するソーラーパネル部材の斜視図である。
【図４】図４は、本発明のソーラーパネル装置を構成する箱型架台の一部断面を含む斜視図である。
【図５】図５は、本発明のソーラーパネル装置を構成する部分拡大斜視図である。
【図６】図６は、同じく、本発明のソーラーパネル装置を構成する部分拡大斜視図である。
【図７】図７は、本発明のソーラーパネル装置の組み立て順序を説明する一部断面を含む部分拡大斜視図である。
【図８】図８は、本発明のソーラーパネル装置の低くい側壁の部分拡大斜視図である。
【図９】図９は、本発明のソーラーパネル装置の低くい側壁に、ソーラーパネル部材が取り付けられた状態の部分拡大斜視図である。
【図１０】図１０は、本発明のソーラーパネル装置の高い側壁に、ソーラーパネル部材が取り付けられた状態の部分拡大斜視図である。
【図１１】図１１は、本発明のソーラーパネル装置の高い側壁に、ソーラーパネル部材が、固着された状態の部分拡大斜視図である。
【実施例】
【００１１】
先ず最初に、図１〜図３を用いて、ソーラーパネル装置Ｓの全体構成について説明する。ソーラーパネル装置Ｓは、ソーラーパネル部材Ｓ１と、ソーラーパネル部材Ｓ１が取り付けられる架台Ｓ２とから構成されている。
【００１２】
ソーラーパネル部材Ｓ１は、ソーラーパネル１と、ソーラーパネル１の裏面に、所定の間隔を置いて取り付けられた角柱状の取り付けフレーム２とを有している。取り付けフレーム２の両端部には、取り付けフレーム２の長さ方向に延在する端部スリット２ａが形成されており、取り付けフレーム２の両端部に形成された端部スリット２ａは、取り付けフレーム２に垂直なソーラーパネル１の両端辺１ａから外側に位置するように構成されている。
【００１３】
次に、図２及び図４〜図６を用いて、架台Ｓ２について説明する。
【００１４】
架台Ｓ２は、箱型に形成されており、以下、架台Ｓ２を、箱型架台Ｓ２と称する。箱型架台Ｓ２は、底部３と、一方の相対する側壁４、５とを有しており、一方の相対する側壁４、５の一方の側壁４は、もう一方の側壁５より、高さが低く形成されている。以下、高さが低くい側壁４を、単に、低い側壁４と称し、高さが高い側壁５を、単に、高い側壁５と称する。箱型架台Ｓ２のもう一方の相対する側壁６、６は、同一形状に形成されており、且つ、低い側壁４から高い側壁５に向かって上方に傾斜して形成されている。以下、もう一方の相対する側壁６、６を、単に、傾斜側壁６、６と称する。このように、箱型架台Ｓ２は、底部３と、低くい側壁４と、高い側壁５と、傾斜側壁６、６とから形成されている。そして、低くい側壁４の水平上端部４ａと高い側壁５の水平上端部５ａとは、傾斜側壁６の傾斜上端部６ａにより連結されている。
【００１５】
低くい側壁４の水平上端部４ａの両端部付近には、上述したソーラーパネル部材Ｓ１を構成する取り付けフレーム２の一方の端部が嵌合される嵌入凹部Ｈ１が形成されている。嵌入凹部Ｈ１は、水平上端部４ａの奥壁部４ｂと、該奥壁部４ｂに対して垂直な天板部４ｃと、相対する側壁部４ｄと、相対する側壁部４ｄの下端部を連結する底板部４ｅとから形成されている。底板部４ｅは、低くい側壁４の内壁面４’から奥壁部４ｂ方向に延在する水平面４ｅ１と該水平面４ｅ１の先端から下方に傾斜する傾斜面４ｅ２とを有している。また、相対する側壁部４ｄには、上部水平傾斜面４ｄ１と、内壁面４’側に位置する垂直傾斜面４ｄ２とが形成されている。なお、４ｂ１は、奥壁部４ｂを補強するために、奥壁部４ｂに形成された垂直補強リブである。
【００１６】
高い側壁５の両端部付近には、低くい側壁４の水平上端部４ａの両端部付近に形成された嵌入凹部Ｈ１に対応して、ソーラーパネル部材Ｓ１を構成する取り付けフレーム２のもう一方の端部が嵌合される嵌合溝部Ｈ２が形成されている。嵌合溝部Ｈ２は、底板部５ｂと相対する側壁部５ｃとから形成されており、嵌合溝部Ｈ２は、上部と相対する側部とが開放されている。また、底板部５ｂには、ボルトやリベット等のソーラーパネル部材Ｓ１を、箱型架台Ｓ２に取り付けるための固着具挿入孔５ｂ１が穿設されている。
【００１７】
また、傾斜側壁６の高い側壁５側に位置する傾斜上端部６ａには、ソーラーパネル部材Ｓ１を、箱型架台Ｓ２に取り付ける際に、作業者の手が挿入可能な凹部６ｂが形成されている。
【００１８】
次に、図７〜図１１を用いて、ソーラーパネル部材Ｓ１の箱型架台Ｓ２への取り付けについて説明する。
【００１９】
先ず最初に、図７に示されているように、ソーラーパネル部材Ｓ１の高い側壁５側が、高い側壁５から上方に位置するように傾斜させた後、ソーラーパネル部材Ｓ１を構成する取り付けフレーム２の低くい側壁４側に位置する端部を、図８に示されているように、嵌入凹部Ｈ１の相対する側壁部４ｄに形成された上部水平傾斜面４ｄ１と垂直傾斜面４ｄ２と底板部４ｅと該底板部４ｅの傾斜面４ｅ２に案内されながら嵌入凹部Ｈ１の挿入する。その後、高い側壁５側に位置するソーラーパネル部材Ｓ１を下動させることにより、取り付けフレーム２の低くい側壁４側に位置する端部が、図９に示されているように、嵌入凹部Ｈ１に嵌入され、また、高い側壁５側に位置する取り付けフレーム２の端部スリット２ａが形成されている端部が、図１０に示されているように、嵌合溝部Ｈ２に嵌合されることになる。
【００２０】
その後、図１１に示されているように、取り付けフレーム２の端部に形成された端部スリット２ａと、高い側壁５の嵌合溝部Ｈ２を形成する底板部５ｂに穿設された固着具挿入孔５ｂ１とに、一例としての固着具Ｂのボルトｂ１を挿入し、その後、ボルトｂ１に、ナットｂ２を、ワッシャーｂ３を介して、螺合させることにより、ソーラーパネル部材Ｓ１を、箱型架台Ｓ２を取り付ける。
【００２１】
箱型架台Ｓ２が、公知の容器のように、箱型架台Ｓ２同士を、ネスティングすることができるように構成されているので、ソーラーパネル装置の設置場所への搬送効率を高めることができる。
【００２２】
上述したように、箱型架台Ｓ２に、ソーラーパネル部材Ｓ１を取り付けるように構成したので、ソーラーパネル装置Ｓの設置を、短時間に、且つ、容易に行なうことができる。
【００２３】
また、箱型架台Ｓ２に形成された嵌入凹部Ｈ１に、ソーラーパネル部材Ｓ１の取り付けフレーム２の低くい側壁４側に位置する端部を嵌入し、その後、ソーラーパネル部材Ｓ１を下動させることにより、高い側壁５に形成されている嵌合溝部Ｈ２に嵌合し、ソーラーパネル部材Ｓ１と箱型架台Ｓ２とを、固着具Ｂを介して取り付けるように構成したので、ソーラーパネル装置Ｓを、短時間に、且つ、容易に設置することができる。
【００２４】
更に、ソーラーパネル部材Ｓ１を構成する取り付けフレーム２の一方の端部が嵌合される嵌入凹部Ｈ１には、上部水平傾斜面４ｄ１と垂直傾斜面４ｄ２とが形成されているので、嵌入凹部Ｈ１への取り付けフレーム２の嵌入作業を、確実に、且つ、容易に行なうことができる。
【００２５】
更にまた、低くい側壁４に形成された嵌入凹部Ｈ１には、天板部４ｃが形成されているので、ソーラーパネル部材Ｓ１を構成する取り付けフレーム２が、上方に移動し、嵌入凹部Ｈ１から排出されるようなことを防止することができる。
【符号の説明】
【００２６】
Ｓ・・・・・・・・・・・ソーラーパネル装置
Ｓ１・・・・・・・・・・ソーラーパネル部材
Ｓ２・・・・・・・・・・箱型架台
１・・・・・・・・・・・ソーラーパネル
４・・・・・・・・・・・低い側壁
５・・・・・・・・・・・高い側壁
【図１】
2013221287.tif 000003
【図２】
2013221287.tif 000004
【図３】
2013221287.tif 000005
【図４】
2013221287.tif 000006
【図５】
2013221287.tif 000007
【図６】
2013221287.tif 000008
【図７】
2013221287.tif 000009
【図８】
2013221287.tif 000010
【図９】
2013221287.tif 000011
【図１０】
2013221287.tif 000012
【図１１】
2013221287.tif 000013